(57)【要約】【課題】  建築物の屋上緑化を例に採れば、植栽の基盤となる土壌層の保水量が極めて低く、既存の給水技術の多くは土壌中へ均質な保水状態の維持が困難であり水分量の増減に応じて均質且つ適量に水分量を維持する為には給水管理に多大な負担が伴う。土壌中の保水状態に応じた毛管誘導と浸潤により何ら人為的な判断や制御を要せずに適量の水分を広範囲に渡って安定的に均質給水できる装置と方法を課題とする。【解決手段】  両端の側壁が閉じ上面が開放された樋、内部に流入させた水が外へ向け通過できる開口を複数備え樋の長辺両側壁の底辺へ接するように樋内へ被せることにより上面の位置が樋の側壁上辺より高い山形状断面の空間を形成する蓋、上記の蓋を被覆し開口部分と土壌と関係で生じる毛管現象を誘導して浸潤性を高める網を備える埋設型の浸潤式給水装置を提供する。【選択図】  図１
2005080650.tif 000002
【特許請求の範囲】
【請求項１】
両端の側壁が閉じ上面が開放された樋、内部に流入させた水が外へ向け通過できる開口を複数備える側壁を有して樋の長辺両側壁の底辺へ接するように樋内へ被せることにより上面の位置が樋の側壁上辺より高い山形状断面の空間を形成する蓋、上記の蓋を被覆し開口部分より土壌または土壌に替わる資材（以下、土壌と称す）との間に生じる毛管現象を誘導して浸潤性を高める網または布状の透水性被覆材（以下、網と称す）、を備える事を特徴としてなる埋設型の浸潤式給水装置。
【請求項２】
請求項１に記載の埋設型の浸潤式給水装置であって、両端の側壁が閉じ上面が開放された樋、内部に流入させた水が外へ向け通過できる開口を複数備える側壁と複数のガス抜き用の開孔を列した上面を有して樋の長辺両側壁の底辺へ接するように樋内へ被せることにより上面の位置が樋の側壁上辺より高い山形状断面の空間を形成する蓋、上記の蓋を被覆し開口部分より土壌との間に生じる毛管現象を誘導して浸潤性を高める網、を組み立てる事によらず、一部または全部を、同一または相似形状に一体成型にて製作してなる埋設型の浸潤式給水装置
【請求項３】
請求項１または請求項２に記載の埋設型の浸潤式給水装置であって、これを一または複数を前後左右に連結して土壌中に埋設し、樋の内部に形成されている空間へ導入した水が、蓋の側面開口より網を通して毛管誘導現象により樋の側壁を越えながら同装置の周辺の土壌中へ適量連続的に浸潤させる事により均質に給水を行う方法。
【発明の詳細な説明】
【発明の詳細な説明】
【技術分野】
【０００１】  本発明は、ビルなどの屋上緑地や一般の公園緑地、農耕地等の土中に埋設して、水分を土壌中へ浸潤させる事により均質な給水を行う装置と方法に関する。
【背景技術】
【０００２】  近年、ビルディングに代表される都市建築物の屋上部分を緑地化する取り組みが普及しつつある。何れも軽量な素材による配合土壌または人工の素材を使用しているが建築物の強度上の制限により保水面で充分な厚さの植栽基盤を敷設できている例は稀有である。その為構造的に土壌中には充分な水分量の維持ができない上に、日照や風による蒸発散も促進されるので植物の定着や生育に適切な保水状態を維持する事は困難である。拠って人為的な給水方法としてスプリンクラーの設置や土壌表面への散水用配管、点滴用チューブなど様々な表土層への給水方法が実用に供されている。しかし何れの方法も散水方式や浸透方式が基本であり、土壌層内部へ均質かつ適量を適時給水する事は難しく管理の負担や用水の無駄などの問題が生じている。【０００３】  また、一部には土壌中に微細多孔質や浸透性の高い素材による配管を埋設し加圧により土壌中へ水や液肥成分を供給する方式があるが、土壌中で配管の長手方向への均質送水は通常不可能であり広範囲への均等な送水が出来なくなる。更に滞留の生じた配管周辺部では嫌気性微生物膜が形成されやすく目詰まり原因となる等の二次的弊害も発生しやすい。尚これらの課題は一般の耕作地や公園緑地などの給水管理に関しても共通である。
【発明が解決しようとする課題】
【０００４】  建築物の屋上緑化をはじめ、一般の耕作地や公園緑地などにおいて水分の不安定な増減や欠乏が生じる状況は植物の生育結果に著しい悪影響を及ぼす事となる。特に建築物の屋上緑化を例に採れば、植栽の基盤となる土壌層の保水量は極めて低く、水分量の減少に応じて均質且つ適量に維持する為には多大な給水管理の負担が伴う。これに対して既存技術には多種の自動給水方法が存在するが、何れに於いても土壌内の水分量の均質性が悪く、しかも適正量の判断が難しく土壌全体へ水分を行き渡らせる為には余剰の水量を加圧給水する例が一般である。しかしこれでは土壌は浸水状態となり無駄に排出される水量が膨大であり水資源の面からも損失が大きく、加えてポンプ等の附帯設備も大きくなる。更に浸水すれば植物には病気の発生も危惧される。
【０００５】  土壌表面近くに配管を配置して散水を行う代表的方法では、水が表土部分から土壌層深部へ速やかに浸透する量は存外少なく、蒸発散によって生じる損失量も軽視できず植物の根の深さまで均質で適量の水分を給水させる事は難しい。またロス水量も多い。その他、土壌中に配管やチューブを埋設し給水する方法も在るが埋設後の配管形状の変形や陥没、目詰まりなどの発生により、広い面積に均等に水を送る事が困難となる場合が多い。
【０００６】  以上のような状況を踏まえ、土壌中の水分量に応じた、適量の水分を均質且つ適時自動的に給水でき、附帯設備と運転に要するエネルギーが最小限で、広い面積に渡って安定的に給水できる装置と方法の提供を課題とする。
【課題を解決するための手段】
【０００７】  本発明は、このような課題を解決するため、両端の側壁が閉じ上面が開放された樋、内部に流入させた水が外へ向け通過できる開口を複数備えて側壁と複数のガス抜き用の開孔を列した上面を有して樋の長辺両側壁の底辺へ接するように樋内へ被せることにより上面の位置が樋の側壁上辺より高い山形状断面の空間を形成する蓋、上記の蓋を被覆し開口部分より土壌との間に生じる毛管現象を誘導して浸潤性を高める網、を備える土壌浸潤式給水装置を提供することにより、構造的な強度を高めて被覆土壌の圧力による陥没変形を防止し広範囲に渡り安定した送水能力を確保し均質な給水を行う事を可能とする。これを一または複数を前後左右に連結して土壌中に埋設し、樋の内部に形成されている空間へ導入した水が、蓋の側面開口より網を通して、土壌中の水分量の状態に応じて生じる毛管誘導現象により樋の側壁を越えながら同装置の周辺の土壌中へ浸潤させ適量連続的に均質な給水を行う方法を提供する。
【実施例】
【０００８】図１は本発明になる埋設型の浸潤式給水装置の構成を示す断面図である。図２は図１の構成を斜視図にて示している。図３は本発明の蓋２の斜視図である。以下、図１，図２，図３によって説明する。【０００９】  １は土壌中及び水中で分解しない非透水性材質により製作され両端が側壁で閉じ上面が開放された樋で、その側壁の何れか一つには水を流入させるための開口を設ける。２は開口を複数備える側壁とガス抜きのため複数の開孔８を列した上面を有し、樋の長辺両側壁の底辺へ接するように樋内へ被せて上面の位置が樋の側壁上辺より高い山形状の断面の空間を形成するために金属または樹脂または陶磁器などで製作した折板状の蓋である。３は蓋２と被覆土壌４の間に敷設し毛管現象を誘導して浸潤性を高める網である。【００１０】  図１に示すように樋１の内部へ蓋２を被せることにより被覆土壌４によって埋設した後は堅牢な山形状断面の空間５を形成する。空間５の内部へ流入させた水は、この空間内を流れることにより複数連結した樋の先端までも均等且つ速やかに行き渡る事ができる。図３に示すように蓋２は空間５の側壁面と上面の形成を担い、蓋２の側壁面には縦方向を長辺とする開口６を複数均等に配している。図１に示すように、空間５内に流れ込んだ水は、開口６から、これを覆う網３を容易に通過し毛管誘導によって周囲の被覆土壌４の中へ浸潤して行く。【００１１】  網３は蓋２と被覆土壌４との間に敷設して、土壌が空間５へ崩落したり埋没させる事を防止すると同時に、開口６の部分では水を毛管現象にて誘導して土壌中への浸潤を促進させる効果を有する。【００１２】  被覆土壌４の断面は浸潤が進行する方向に対して広がっているので、浸潤により水分を保持するに要する土壌容積が充分確保される。また、空間５内の水位が急激に変動した場合には、常に開口６は均等に水量負荷を負担するので、流量変動時も緩衝的に性能を維持することができる。図１の断面に示すとおり蓋２の上面位置は樋１の側壁上辺より高くなっており山形状の空間５を形成するので、樋の側壁内側の空間内に水が満杯状態となっても、開口６の上部と上面の開孔部分は樋１の側壁内側よりも高い位置にあるため、過剰水位で発生し易い嫌気性微生物により発生したガスも容易に被覆土壌４へ排気される。このように弊害発生も防止でき安定した給水能力を発揮できる。【００１３】  本発明は、図１および図２に示す、樋１を土中に設置し、その内部底面に蓋２を格納した後に網３にて被覆し、被覆土壌４を充填埋設してなる装置であって、樋１の内部に格納された蓋２によって形成される空間５へ水を導入し、スリット状の開口６より網３を通して毛管現象により樋１の側壁を越えながら周辺土壌７の中へ連続的に浸潤させる自然現象を利用する方法によって無動力で均質な給水が適時行えるようにした。
【発明の効果】
【００１４】  本発明による装置は、自然現象によって土壌中の保水状態に応じて許容しえる分だけの浸潤が生じるのであって、土壌中に誘導される水は適量の水量が常に浸潤によって給水される仕組みである。従って動力はもとより制御に要する計測や観測装置も全く必要とせず構成要素が簡易となり当然ながら故障の心配も無い。これに伴い装置構築と敷設に要する費用も小額で実現できる。給水の均質性については、構造上強度が高く変形や陥没が生じにくいので水平設置を配慮して敷設するだけで末端までの水流は良好に維持される。更に土壌中に浸潤している水は均質な状態となるように浸潤が生じるので、常に保水状態の少ない方向へ浸潤しながら移動拡散していく。よって何ら制御を要する事無く均質な給水が成される事となる。このように管理上の負担を一切要せず動力も不要でありながら、適量且つ均質な給水力を安定して発揮でき優れている。
【図面の簡単な説明】
【００１５】
【図１】本発明の断面図である。
【図２】本発明の斜視図である。
【図３】本発明の蓋２の斜視図である。
【符号の説明】
１…樋
２…蓋
３…網
４…被覆土壌
５…山形状断面の空間
６…開口
７…周辺土壌
８…ガス抜きのための開孔
【図１】
2005080650.tif 000003
【図２】
2005080650.tif 000004
【図３】
2005080650.tif 000005